(57)【要約】【課題】商品の購入後においてチューブ容器の内容物を絞り出すための器具として利用することができるチューブ容器支持具を提供する。【解決手段】チューブ容器支持具１１は、底部１２ａに向かって断面の厚さが薄くなっている可撓性のチューブ容器１２と、チューブ容器１２に充填された内容物と、を含む商品１３に適用され、チューブ容器１２を支持した状態で吊り下げ可能に構成されている。チューブ容器支持具１１は、平板状をなす支持具本体１４を備えている。支持具本体１４には、底部１２ａの外周面をチューブ容器１２の厚さ方向の両側から挟んで支持可能に構成された支持孔１７と、吊り下げ用のロッドフック１５に吊り下げ可能に構成された吊下孔１６とが設けられている。【選択図】図４
0003234262.tif 000002
【実用新案登録請求の範囲】
【請求項１】
底部に向かって断面の厚さが薄くなっている可撓性のチューブ容器と、前記チューブ容器に充填された内容物と、を含む商品に適用され、前記チューブ容器を支持した状態で吊り下げ可能なチューブ容器支持具であって、
平板状をなす支持具本体を備え、
前記支持具本体には、
前記底部の外周面を前記チューブ容器の厚さ方向の両側から挟んで支持可能に構成された支持孔と、
吊り下げ用のフックに吊り下げ可能に構成された吊下部と、
が設けられていることを特徴とするチューブ容器支持具。
【請求項２】
前記支持孔の周縁は、
円弧状に延びる第１円弧部と、
前記第１円弧部と前記厚さ方向において対向するとともに前記第１円弧部に沿って延びる第２円弧部と、
を有することを特徴とする請求項１に記載のチューブ容器支持具。
【請求項３】
前記第２円弧部は、前記第１円弧部の外周側に位置しており、
前記支持孔の周縁における前記第２円弧部の延びる方向の両端部には、互いに反対側に向かって突出するとともに同一直線上に位置する一対の直線部が設けられていることを特徴とする請求項２に記載のチューブ容器支持具。
【考案の詳細な説明】
【技術分野】
【０００１】
本考案は、チューブ容器を支持した状態で吊り下げることが可能なチューブ容器支持具に関する。
【背景技術】
【０００２】
一般に、例えば保湿クリームや日焼け止めクリームなどは、可撓性を有したチューブ容器、所謂ナローチューブ容器に充填された状態で商品として販売される。チューブ容器の断面の厚さは、底部に向かって徐々に薄くなっている。こうした商品は、通常、ケースに収容された状態で、店舗の陳列棚のロッドフックに吊り下げられて陳列される。
【０００３】
このようなケースとしては、商品を収容可能に構成された箱状のケース本体と、ケース本体に連結されるとともにロッドフックが挿通可能な吊り下げ用の孔を有した吊り下げ片と、を備えるものが知られている。
【考案の概要】
【考案が解決しようとする課題】
【０００４】
ところで、上述のようなケース（以下、チューブ容器支持具という）は、通常、商品の購入後に廃棄される。このため、商品の購入後に他の用途として利用可能なチューブ容器支持具が望まれている。
【課題を解決するための手段】
【０００５】
以下、上記課題を解決するための手段及びその作用効果について記載する。
上記課題を解決するためのチューブ容器支持具は、底部に向かって断面の厚さが薄くなっている可撓性のチューブ容器と、前記チューブ容器に充填された内容物と、を含む商品に適用され、前記チューブ容器を支持した状態で吊り下げ可能なチューブ容器支持具であって、平板状をなす支持具本体を備え、前記支持具本体には、前記底部の外周面を前記チューブ容器の厚さ方向の両側から挟んで支持可能に構成された支持孔と、吊り下げ用のフックに吊り下げ可能に構成された吊下部と、が設けられていることを要旨とする。
【０００６】
この構成によれば、支持具本体の支持孔にチューブ容器の底部を挿入した状態で吊下部を吊り下げ用のフックに掛止することで、支持具本体を介してチューブ容器をフックに吊り下げることができる。加えて、チューブ容器は、断面の厚さが底部から離れるほど厚くなっている。このため、支持具本体の支持孔によってチューブ容器の底部の外周面を厚さ方向の両側から挟んだ状態で支持具本体をチューブ容器における底部側とは反対側の口部側にスライドさせると、支持孔の周縁によってチューブ容器が厚さ方向に押圧される。これにより、チューブ容器から内容物が絞り出される。したがって、商品の購入後においてチューブ容器の内容物を絞り出すための器具として利用することができる。
【０００７】
上記チューブ容器支持具において、前記支持孔の周縁は、円弧状に延びる第１円弧部と、前記第１円弧部と前記厚さ方向において対向するとともに前記第１円弧部に沿って延びる第２円弧部と、を有することが好ましい。
【０００８】
この構成によれば、チューブ容器の底部が支持孔に挿入された状態では、当該底部の外周面が、支持孔の周縁を構成する第１円弧部及び第２円弧部によって厚さ方向の両側から押圧される。このため、支持孔からチューブ容器を抜け難くすることができる。
【０００９】
上記チューブ容器支持具において、前記第２円弧部は、前記第１円弧部の外周側に位置しており、前記支持孔の周縁における前記第２円弧部の延びる方向の両端部には、互いに反対側に向かって突出するとともに同一直線上に位置する一対の直線部が設けられていることが好ましい。
【００１０】
この構成によれば、チューブ容器の底部が支持孔に挿入された状態では、支持孔の周縁における第２円弧部の両端部と一対の直線部とのそれぞれの境界部分がチューブ容器に食い込むので、支持孔からチューブ容器をより一層抜け難くすることができる。
【考案の効果】
【００１１】
本考案によれば、商品の購入後においてチューブ容器の内容物を絞り出すための器具として利用することができる。
【図面の簡単な説明】
【００１２】
【図１】一実施形態のチューブ容器支持具の平面図である。
【図２】チューブ容器支持具が取り付けられた状態の商品の斜視図である。
【図３】図２を反対側から見たときの要部拡大図である。
【図４】チューブ容器支持具が取り付けられた状態の商品がチューブ容器支持具を介してロッドフックに吊り下げられた状態を示す斜視図である。
【図５】チューブ容器支持具をチューブ容器の内容物を絞り出すための器具として使用するときの状態を示す斜視図である。
【図６】変更例のチューブ容器支持具の平面図である。
【考案を実施するための形態】
【００１３】
以下、チューブ容器支持具の一実施形態について図面に従って説明する。
図１及び図４に示すように、チューブ容器支持具１１は、底部１２ａに向かって断面の厚さが徐々に薄くなっている可撓性のチューブ容器１２と、チューブ容器１２に充填された例えばゲルクリームなどの内容物Ｎ（図５参照）と、を含む商品１３に適用される。チューブ容器支持具１１は、チューブ容器１２を支持した状態で吊り下げ可能に構成されている。
【００１４】
チューブ容器支持具１１は、例えば合成樹脂によって形成された平板状をなす支持具本体１４を備えている。支持具本体１４は、コーナー部が丸みを帯びた矩形板状をなしている。支持具本体１４における短辺方向（上下方向）の一端部（上端部）における長辺方向（左右方向）の中央部には、吊り下げ用のフックの一例としての水平方向に延びるロッドフック１５に吊り下げ可能に構成された吊下部の一例としての長辺方向に延びる直線状の吊下孔１６が貫通して設けられている。吊下孔１６は、支持具本体１４の長辺方向の中央部における上側に、水平方向に延びるロッドフック１５を収容して位置決めを行う凹部１６ａを有している。
【００１５】
図１及び図２に示すように、支持具本体１４における中央部には、支持孔１７が貫通して形成されている。支持孔１７は、支持具本体１４の長辺方向に延びるとともに支持具本体１４の短辺方向における吊下孔１６側とは反対側（下側）に膨らむ円弧状をなしている。支持孔１７は、チューブ容器１２の底部１２ａの外周面を支持具本体１４の短辺方向となるチューブ容器１２の厚さ方向の両側から挟んで支持可能に構成されている。
【００１６】
支持孔１７の周縁は、円弧状に延びる第１円弧部１７ａと、第１円弧部１７ａと支持具本体１４の短辺方向となるチューブ容器１２の厚さ方向において対向するとともに第１円弧部１７ａに沿って延びる第２円弧部１７ｂと、を有している。この場合、第２円弧部１７ｂは、第１円弧部１７ａの外周側に位置している。すなわち、第２円弧部１７ｂは、支持具本体１４の短辺方向において、吊下孔１６に対して第１円弧部１７ａよりも遠い位置に位置している。
【００１７】
つまり、支持具本体１４における吊下孔１６側を上側とした場合に、第２円弧部１７ｂは、第１円弧部１７ａよりも下側に位置している。支持孔１７の周縁における第２円弧部１７ｂの延びる方向の両端部には、互いに反対側に向かって突出するとともに同一直線上に位置する一対の直線部１７ｃが設けられている。すなわち、第２円弧部１７ｂにおける支持具本体１４の長辺方向の両端部には、支持具本体１４の長辺方向において互いに反対側に向かって突出する一対の直線部１７ｃが設けられている。
【００１８】
次に、チューブ容器支持具１１を用いて水平方向に延びるロッドフック１５に商品１３を吊り下げるときの作用について説明する。
図２〜図４に示すように、内容物Ｎ（図５参照）が充填されたチューブ容器１２を有した商品１３をロッドフック１５に吊り下げる場合には、まず、チューブ容器１２の底部１２ａを支持具本体１４の支持孔１７に挿入する。このとき、チューブ容器１２の底部１２ａにおける幅方向の両端部は、支持孔１７の一対の直線部１７ｃ上にそれぞれ載った状態となる。この状態で、支持具本体１４を持ち上げると、図２に示すように、チューブ容器１２が逆さになった状態で底部１２ａが支持孔１７に引っ掛かって支持された状態になる。
【００１９】
このとき、チューブ容器１２の底部１２ａには、特に支持孔１７における第２円弧部１７ｂと一対の直線部１７ｃとのそれぞれの境界部分Ｋが食い込むため、チューブ容器１２が支持孔１７から抜け落ちることが効果的に抑制される。そして、図４に示すように、支持具本体１４の吊下孔１６にロッドフック１５を挿入すると、支持具本体１４が吊下孔１６においてロッドフック１５に掛止されて支持される。
【００２０】
このとき、ロッドフック１５を吊下孔１６の凹部１６ａに挿入することで、ロッドフック１５に対して支持具本体１４が位置決めされる。これにより、商品１３は、チューブ容器支持具１１を介してロッドフック１５に吊り下げられた状態で陳列される。
【００２１】
次に、チューブ容器支持具１１を用いてチューブ容器１２から内容物Ｎを絞り出すときの作用について説明する。
商品１３の購入後には、商品１３からチューブ容器支持具１１が取り外される。そして、商品１３を使用し、チューブ容器１２の内容物Ｎの残量が少なくなると、チューブ容器１２を押してもチューブ容器１２の口部１２ｂから内容物Ｎが出にくくなる。この場合には、図５に示すように、チューブ容器支持具１１の支持具本体１４の支持孔１７にチューブ容器１２の底部１２ａを挿入した状態で、キャップ１２ｃを開けた状態のチューブ容器１２の底部１２ａから口部１２ｂに向かって支持具本体１４をスライドさせる。
【００２２】
すると、支持具本体１４の支持孔１７の周縁における第１円弧部１７ａ及び第２円弧部１７ｂがチューブ容器１２をその厚さ方向に挟んで押圧しながら、支持具本体１４がチューブ容器１２の底部１２ａから口部１２ｂに向かって移動する。このため、チューブ容器１２内の底部１２ａ付近に残った内容物Ｎが集められながらチューブ容器１２内の口部１２ｂ側に向かって移動する。この結果、チューブ容器１２の口部１２ｂから内容物Ｎが容易に絞り出される。
【００２３】
このように、チューブ容器支持具１１は、商品１３を店舗などで陳列するための器具として利用できる上に、商品１３が購入された後においてはチューブ容器１２の内容物Ｎを絞り出すための器具として利用することができる。つまり、チューブ容器支持具１１は、商品１３を店舗などで陳列する機能と、チューブ容器１２の内容物Ｎを絞り出す機能との２つの機能を発揮することができる。
【００２４】
以上詳述した実施形態によれば、次のような効果が発揮される。
（１）チューブ容器支持具１１は、平板状をなす支持具本体１４を備えている。支持具本体１４には、底部１２ａの外周面をチューブ容器１２の厚さ方向の両側から挟んで支持可能に構成された支持孔１７と、吊り下げ用のロッドフック１５に吊り下げ可能に構成された吊下孔１６と、が設けられている。
【００２５】
この構成によれば、支持具本体１４の支持孔１７にチューブ容器１２の底部１２ａを挿入した状態で吊下孔１６を吊り下げ用のロッドフック１５に掛止することで、支持具本体１４を介してチューブ容器１２をロッドフック１５に吊り下げることができる。加えて、チューブ容器１２は、断面の厚さが底部１２ａから離れるほど厚くなっている。このため、支持具本体１４の支持孔１７によってチューブ容器１２の底部１２ａの外周面を厚さ方向の両側から挟んだ状態で支持具本体１４をチューブ容器１２における底部１２ａ側とは反対側の口部１２ｂ側にスライドさせると、支持孔１７の周縁によってチューブ容器１２がその厚さ方向に押圧される。これにより、チューブ容器１２から内容物Ｎが絞り出される。したがって、チューブ容器支持具１１は、商品１３の購入後においてチューブ容器１２の内容物Ｎを絞り出すための器具として利用することができる。また、チューブ容器支持具１１は、支持具本体１４が平板状であるため、邪魔になりにくい。
【００２６】
（２）チューブ容器支持具１１において、支持孔１７の周縁は、円弧状に延びる第１円弧部１７ａと、第１円弧部１７ａとチューブ容器１２の厚さ方向において対向するとともに第１円弧部１７ａに沿って延びる第２円弧部１７ｂと、を有している。
【００２７】
この構成によれば、チューブ容器１２の底部１２ａが支持孔１７に挿入された状態では、底部１２ａの外周面が、支持孔１７の周縁を構成する第１円弧部１７ａ及び第２円弧部１７ｂによってチューブ容器１２の厚さ方向の両側から押圧される。このため、支持孔１７からチューブ容器１２を抜け難くすることができる。
【００２８】
（３）チューブ容器支持具１１において、第２円弧部１７ｂは、第１円弧部１７ａの外周側に位置している。支持孔１７の周縁における第２円弧部１７ｂの延びる方向の両端部には、互いに反対側に向かって突出するとともに同一直線上に位置する一対の直線部１７ｃが設けられている。
【００２９】
この構成によれば、チューブ容器１２の底部１２ａが支持孔１７に挿入された状態では、支持孔１７の周縁における第２円弧部１７ｂの両端部と一対の直線部１７ｃとのそれぞれの境界部分Ｋがチューブ容器１２に食い込む。このため、支持孔１７からチューブ容器１２をより一層抜け難くすることができる。
【００３０】
（変更例）
上記実施形態は、以下のように変更して実施することができる。また、上記実施形態及び以下の変更例は、技術的に矛盾しない範囲で互いに組み合わせて実施することができる。
【００３１】
・図６に示すように、支持具本体１４を円板状にするとともに吊下孔１６を円形状にしてもよい。この場合、支持具本体１４の形状及び吊下孔１６の形状は、三角形や六角形などの多角形、星形、楕円形など、任意に変更してもよい。
【００３２】
・図６の二点鎖線で示すように、支持孔１７は直線状に延びていてもよい。すなわち、支持孔１７の周縁は、必ずしも第１円弧部１７ａと第２円弧部１７ｂとを有している必要はない。
【００３３】
・一対の直線部１７ｃは省略してもよい。
・吊下孔１６の代わりに吊下部の一例として例えばＵ字状のフックを採用してもよい。
・チューブ容器１２の底部１２ａを支持具本体１４に対して粘着テープで留めるようにしてもよい。
【符号の説明】
【００３４】
１１…チューブ容器支持具
１２…チューブ容器
１２ａ…底部
１２ｂ…口部
１２ｃ…キャップ
１３…商品
１４…支持具本体
１５…フックの一例としてのロッドフック
１６…吊下部の一例としての吊下孔
１６ａ…凹部
１７…支持孔
１７ａ…第１円弧部
１７ｂ…第２円弧部
１７ｃ…直線部
Ｋ…境界部分
Ｎ…内容物
【図１】
0003234262.tif 000003
【図２】
0003234262.tif 000004
【図３】
0003234262.tif 000005
【図４】
0003234262.tif 000006
【図５】
0003234262.tif 000007
【図６】
0003234262.tif 000008